(57)【特許請求の範囲】
【請求項１】
ラジオ放送信号を受信する受信部と、
この受信部により受信された放送局毎に対応するラジオ放送信号を送信する送信機と、この送信機の出力から高調波成分を除去し、それぞれの放送信号の周波数を中心にほぼ±２０ｋＨｚを通過させるバンドパスフィルタにより構成され、他の送信機による放送信号の周波数成分を除去するフィルタとを含む、複数の送信部と、
この複数の送信部から出力されるラジオ放送信号を順次に混合する複数のＴ型コネクタであって、それぞれが、第１、第２の入力端子と一つの出力端子とを有し、第１の入力端子に対し、存在する場合の前段のＴ型コネクタの出力端子が接続され、出力端子に対し、存在する場合の次段のＴ型コネクタの第１の入力端子が接続され、第２の入力端子に対し、前記複数の送信部の内の一つがそれぞれ接続され、接続された送信部と当該Ｔ型コネクタとをセットにして取り付け及び取り外し可能な複数のＴ型コネクタと、
この複数のＴ型コネクタにおける最終段のＴ型コネクタにより混合されたラジオ放送信号を放出する誘導アンテナと
を具備することを特徴とするラジオ再放送システム。
【請求項２】
送信部からケーブルを介してラジオ放送信号がＴ型コネクタへ与えられていることを特徴とする請求項１に記載のラジオ再放送システム。
【請求項３】
送信部の筐体にＴ型コネクタが取り付けられ、
前記送信部からラジオ放送信号が前記Ｔ型コネクタへ与えられていることを特徴とする請求項１に記載のラジオ再放送システム。
【請求項４】
送信部の筐体内部にＴ型コネクタが埋設され、
前記送信部からラジオ放送信号が前記Ｔ型コネクタへ与えられていることを特徴とする請求項１に記載のラジオ再放送システム。
【発明の詳細な説明】
【０００１】
【発明の属する技術分野】
この発明は、トンネル内などのラジオ放送の不感地帯において設置されるラジオ再放送システムに関するものである。
【０００２】
【従来の技術】
従来のラジオ再放送システムでは、ＡＭのラジオ放送信号を受信部にて受信し、図１１に示されているＡＭラジオ再放送装置に導いている。ここで、受信したラジオ放送信号は図１２に示されるように複数の送信部２０１−１〜２０１−ｎ、２０２−１〜２０２−ｎへ与えられる。各送信部２０１−１〜２０１−ｎ、２０２−１〜２０２−ｎには、それぞれ送信機２０３−１〜２０３−ｎ、２０４−１〜２０４−ｎと、フィルタ２０５−１〜２０５−ｎ、２０６−１〜２０６−ｎが設けられ、送信信号の発生と高調波の除去が行われている。
【０００３】
送信機２０１−１〜２０１−ｎの出力信号は、混合器２０７へ与えられ、送信機２０２−１〜２０２−ｎの出力信号は、混合器２０８へ与えられ、ここにおいて混合される。混合器２０７、２０８の出力は混合器２０９にて混合され、トンネル等に設置されている誘導アンテナに送られる。これらの混合器２０７、２０８、２０９は、図１１のＡＭラジオ再放送装置においては、出力混合部に備えられている。
【０００４】
【発明が解決しようとする課題】
しかしながら、上記の混合器２０７、２０８の入力端子数ｎは、固定の値であるため、放送局が開設するなどして局対応の放送信号数が増加し、上記ｎを越える度に入力端子数ｎの混合器を別途新規に用意しなければならず、構成の大型化を招来し、また新規な混合器の入力端子は全て使用される訳ではなく、無駄な構成部分が発生するという問題があった。
【０００５】
本発明は上記の従来例に係るラジオ再放送システムが有する問題点を解決せんとしてなされたもので、その目的は、放送局が開設するなどして局対応の放送信号数が増加した場合または放送信号数が減少した場合に容易に対応でき、構成を大きく変更する必要のないラジオ再放送システムを提供することである。また、判りやすい入力環境で簡単な操作によりラジオ放送信号に対する制御を行うことの可能なラジオ再放送システムを提供することを目的とする。
【０００６】
【課題を解決するための手段】
本発明に係るラジオ再放送システムは、ラジオ放送信号を受信する受信部と、この受信部により受信された放送局毎に対応するラジオ放送信号を送信する送信機と、この送信機の出力から高調波成分を除去し、それぞれの放送信号の周波数を中心にほぼ±２０ｋＨｚを通過させるバンドパスフィルタにより構成され、他の送信機による放送信号の周波数成分を除去するフィルタとを含む、複数の送信部と、この複数の送信部から出力されるラジオ放送信号を順次に混合する複数のＴ型コネクタであって、それぞれが、第１、第２の入力端子と一つの出力端子とを有し、第１の入力端子に対し、存在する場合の前段のＴ型コネクタの出力端子が接続され、出力端子に対し、存在する場合の次段のＴ型コネクタの第１の入力端子が接続され、第２の入力端子に対し、前記複数の送信部の内の一つがそれぞれ接続され、接続された送信部と当該Ｔ型コネクタとをセットにして取り付け及び取り外し可能な複数のＴ型コネクタと、この複数のＴ型コネクタにおける最終段のＴ型コネクタにより混合されたラジオ放送信号を放出する誘導アンテナとを具備することを特徴とする。この構成によれば、１つの送信部の増減に対応して１つのＴ型コネクタを増減すればよく、構成を大きく変更する必要がない。
【０００８】
【発明の実施の形態】
以下添付図面を参照して本発明に係るラジオ再放送システムを説明する。各図において同一の構成要素には同一の符号を付して重複する説明を省略する。図１には、本発明に係るラジオ再放送システムの構成図が示されている。トンネル電気室１には、ＦＭ放送架２、ＡＭ受信架３、ＡＭ放送架４、耐圧変圧器５が備えられている。
【０００９】
ＦＭ放送架２には、耐圧変圧器５の出力を受けて電力供給を行う電源部２１、ＦＭアンテナ６１、６２から電波を取り込む受信分配部２２、受信分配部２２の出力からＦＭ放送信号を得るＦＭ受信部２３、割り込みの音声信号をＦＭ変調するＦＭ変調部２４、ＦＭ変調部２４の出力信号またはＦＭ受信部２３の出力信号を送信するＦＭ送信部２５、２６、所定の減衰を生じさせる固定減衰器を含み、ＦＭ送信部２５、２６の出力信号を混合するＦＭ出力混合器２７が備えられている。
【００１０】
ＡＭ受信架３には、ＡＭアンテナ６３、６４，６５から電波を取り込みＡＭ放送信号を得る受信部３１、受信した放送信号をモニタ可能とする検聴部３２が備えられている。
【００１１】
ＡＭ放送架４には、耐圧変圧器５の出力を受けて電力供給を行う電源部４１、回線６を介して工事事務所８０から制御信号を受け取り、または状態通知を行う被遠方監視制御部４２、再放送や放送に対する割り込みの制御を行うための操作制御部４３、割り込み信号と放送信号の切り換えを行うと共に、増幅を行う放送切換部４４、放送切換部４４から送られる割り込み信号または放送信号を送信する送信部４５〜４７、送信部４５〜４７の出力を混合する出力混合部４８、接続されている誘導アンテナ７２の断線を検知する誘導線断検知部４９が備えられている。上記において送信部４５〜４７は、３回路を意味するのではなく、複数の回路を示している。
【００１２】
トンネル７には、ＦＭ放送架２の出力を受けてＦＭ放送信号を放出するための漏洩同軸ケーブル７１と、ＡＭ放送架４の出力を受けてＡＭ放送信号を放出するための平行２線式の誘導アンテナ７２が設けられている。
【００１３】
工事事務所８０には、放送制御架８１と、これに接続された操作卓８２が設けられている。放送制御架８１は回線を介してＡＭ放送架４に接続されている。放送制御架８１には、タッチパネル装置８４を備える操作制御部８３が設けられ、タッチパネル装置８４からの入力によりＡＭ放送架４の被遠方監視制御部４２へ制御信号を送ることができ、また被遠方監視制御部４２から送られる状態通知信号に基づく画像はタッチパネル装置８４の表示装置に表示される。また、操作卓８２にも上記タッチパネル装置８４と同様の構成のタッチパネル装置８５が備えられ、タッチパネル装置８５からの入力により放送制御架８１を介してＡＭ放送架４の被遠方監視制御部４２へ制御信号を送ることができ、また被遠方監視制御部４２から送られる状態通知信号は放送制御架８１を介してタッチパネル装置８５へ到り、これに基づく表示がなされる。
【００１４】
上記のラジオ再放送システムにおけるＡＭ放送架４のパネル配置を図２に示す。このＡＭ放送架４にあっては、図１の送信部４５が送信部４５−１〜４５−３のパネルとして示され、最上段に配置されている。図１の送信部４６のパネルが上記送信部４５−１〜４５−３のパネルの下段に配置され、次の段には操作制御部４３のパネルが配置されている。操作制御部４３には、マイクＭとタッチパネル装置４３Ａが設けられている。
【００１５】
操作制御部４３の下段には、割り込み信号と放送信号の切り換えを行うと共に増幅を行う放送切換部４４のパネルが設けられている。放送切換部４４の下段には、被遠方監視制御部４２のパネルが配置され、更にその下段には送信部４７のパネルが配置されている。送信部４７のパネルの下段には、誘導線断検知部４９が配置され、更にその下段には、電源部４１のパネルが配置されている。電源部４１のパネルの下段は図１における回線６等が接続される端子部４０のパネルが配置され、最下段には現在は使用されないブランクパネルが配置されている。尚、図１に示した出力混合器４８は、Ｔ型コネクタにより構成しているため、この図２には現れない。
【００１６】
図３には、Ｔ型コネクタにより構成される出力混合器４８による送信部の接続関係が示されている。ここでは、複数の送信部を４５−１〜４５−ｎとして示している。送信部４５−１〜４５−ｎには、それぞれ送信機５１−１〜５１−ｎと混合機能付フィルタ５２−１〜５２−ｎが備えられている。混合機能付フィルタ５２−１〜５２−ｎは、図１２に示したフィルタ２０５−１〜２０５−ｎ、２０６−１〜２０６−ｎが高調波成分を除去するだけであるのに対し、それぞれの放送信号の周波数を中心にほぼ±２０ｋＨｚを通過させるバンドパスフィルタにより構成され、他の送信機による放送信号の周波数成分を除去し、信号の合成を可能とする機能を有する。
【００１７】
送信部４５−１〜４５−ｎの出力側には、接続ケーブルを介してＴ型コネクタ５０−１〜５０−ｎが接続され、Ｔ型コネクタ５０−１〜５０−ｎは前段のＴ型コネクタの出力を接続ケーブルを介して受けて直接に接続された送信部４５−１〜４５−ｎから到来する放送信号と混合して次段へ接続ケーブルを介して送出する。最終段のＴ型コネクタ５０−ｎの出力は、平行２線式の誘導アンテナ７２と接続されている。
【００１８】
操作制御部４３には、緊急放送等を行うためのマイクＭと、例えば、タッチパネル方式の入力装置及び表示装置を備えたタッチパネル装置４３Ａが設けられている。そして、システムが立ち上がると、図４に示されるように、表示装置８にメニューの表示がなされる。この内、「放送モニタ」の表示面をタッチすると、図５に示されるように各放送局の名称が表示され、いずれか所望の放送局をタッチすると、該当の放送を検聴部３２から例えばスピーカによりモニタすることができる。図６には、表示装置８における「放送モニタ」の表示面をタッチした場合に表示される画面の他の実施の形態であり、トンネル７の上り車線と下り車線に対して提供されている放送に対応して各放送局の名称が表示される。この例においても、いずれか所望の放送局をタッチすると、該当の放送を検聴部３２から例えばスピーカによりモニタすることができる。
【００１９】
また、表示装置８におけるメニューの表示において、「割込放送」の表示面をタッチすると、図７に示されるように、割り込み放送へ移行するための画面が表示され、表示装置８における「割込放送」の表示面及び「トーク」の表示面をタッチすると、マイクＭを用いた割込放送を行うことができ、事故発生や気象状況の変化を知らせることができる。図８は表示装置８におけるメニューの表示において、「割込放送」の表示面をタッチした場合の、割り込み放送へ移行するための画面の他の実施の形態であり、ここにおいて「上り」と「下り」のいずれかの表示面及び「トーク」の表示面をタッチすると、マイクＭを用いた割込放送を行うことができる。なお、図７、図８のいずれの表示状態においても、「解除」の表示面を表示装置８においてタッチすると割込放送が終了される。
【００２０】
工事事務所８０におけるタッチパネル装置８４、８５によっても、上記タッチパネル装置４３と同様の制御及び表示を行うことができ、マイクＭを用いた割込放送等を行うことが可能であり、また図示せぬ検聴部により放送内容をモニタすることが可能である。このタッチパネル装置８４、８５とタッチパネル装置４３は、表示装置、入力装置及び内蔵されたコンピュータ等による制御部を備えるものであり、それぞれの設置場所に応じた制御及び表示を行わせることが可能なプログラムがセットされる。つまり、タッチパネル装置８４、８５とタッチパネル装置４３は、ハードウエアは同じであるが、ＲＯＭ等によりプログラムが変えられ、設置場所に応じたメニュー表示を行い、メニュー項目やボタンをタッチして選択することにより必要な制御及び表示を行わせることが可能である。つまり、従来では工事事務所８０に設置する架、トンネル室に設置する架などというように、各設置場所毎に特定のキーやボタンを有する架が必要であったが、本実施の形態におけるタッチパネル装置によれば、ソフトウエアを変更するだけで工事事務所８０、トンネル室などそれぞれ設置場所に合致したキー配置やボタン配置を表示して入力を行うことができる。
【００２１】
以上の実施の形態では、送信部４５−１〜４５−ｎとＴ型コネクタ５０−１〜５０−ｎとの接続を接続ケーブルを介して行ったが、例えば、図９に示すように送信部４５の筐体へ直接にＴ型コネクタ５０を取り付け、放送信号を送信部４５から直接にＴ型コネクタ５０へ出力するようにしても良い。この場合には、接続ケーブルが不要となる。更に、図１０に示されるように送信部４５の筐体内にＴ型コネクタ５０を埋設し、隣接する送信部へ接続ケーブルを延ばすためのコネクタ９１、９２を筐体内に埋設し、Ｔ型コネクタ５０に接続する。この構成によれば、筐体外部にコネクタが突出することなく、省スペース化を図ることができ、他の例よりも架を小さくすることができる。
【００２２】
【発明の効果】
以上説明したように本発明に係るラジオ再放送システムによれば、ラジオ放送信号を送信する複数の送信部から出力されるラジオ放送信号を順次に複数のＴ型コネクタにより混合する構成を採用しているので、１つの送信部の増減に対応して１つのＴ型コネクタを増減すればよく、構成を大きく変更する必要がなく、構成の小形化を図ることができる。
【図面の簡単な説明】
【図１】本発明に係るラジオ再放送システムの構成図。
【図２】本発明に係るラジオ再放送システムのＡＭ放送架の正面図。
【図３】本発明に係るラジオ再放送システムにおける送信部の出力を混合する構成を示す図。
【図４】本発明に係るラジオ再放送システムにおける操作制御部の表示例を示す図。
【図５】本発明に係るラジオ再放送システムにおける操作制御部の表示例を示す図。
【図６】本発明に係るラジオ再放送システムにおける操作制御部の表示例を示す図。
【図７】本発明に係るラジオ再放送システムにおける操作制御部の表示例を示す図。
【図８】本発明に係るラジオ再放送システムにおける操作制御部の表示例を示す図。
【図９】本発明に係るラジオ再放送システムにおける送信部の出力を混合する他の構成例を示す図。
【図１０】本発明に係るラジオ再放送システムにおける送信部の出力を混合する他の構成例を示す図。
【図１１】従来のラジオ再放送システムのＡＭ放送架の正面図。
【図１２】従来のラジオ再放送システムにおける送信部の出力を混合するための構成を示す図。
【符号の説明】
１  トンネル電気室                  ２  ＦＭ放送架
３  ＡＭ受信架                      ４  ＡＭ放送架
７  トンネル                        ４２  被遠方監視制御部
４３  操作制御部                    ４４  放送切換部
４５、４５−１〜４５−ｎ、４６、４７  送信部
５０、５０−１〜５０−ｎ  Ｔ型コネクタ
５１−１〜５１−ｎ  送信機
５２−１〜５２−ｎ  混合機能付フィルタ
８１  放送制御架                    ８２  操作卓
８３  操作制御部                    ４３Ａ、８４、８５  タッチパネル装置
【図１】
0004005742.tif 000002
【図２】
0004005742.tif 000003
【図３】
0004005742.tif 000004
【図４】
0004005742.tif 000005
【図５】
0004005742.tif 000006
【図６】
0004005742.tif 000007
【図７】
0004005742.tif 000008
【図８】
0004005742.tif 000009
【図９】
0004005742.tif 000010
【図１０】
0004005742.tif 000011
【図１１】
0004005742.tif 000012
【図１２】
0004005742.tif 000013